(57)【要約】【課題】  ビデオ信号の表示品位及びＧＵＩ表示品位を大幅に高めることができ、レスポンスを向上させることができる機器、テレビジョン受信機及びデータ通信方法を提供する。【解決手段】  ワイヤレスＡＶシステム１のワイヤレスセンタ２は、テレテキスト放送を受信するチューナ３１，３２と、テレテキストデータを抽出するテレテキストデコーダ１００と、ＴＶ本体３と制御コマンドを送受信するとともに、受信した映像信号の映像及び音声データ、選択されたテレテキストページをワイヤレスにより伝送するＳＳ送信ユニット３６と、ワイヤレスセンタ２全体の制御と抽出したテレテキストデータから受信した制御コマンドにより指定されるテレテキストページを選択するワイヤレスセンタマイコン３７とを備え、受信機側のＴＶ本体３は、TELETEXT Page入力ＧＵＩを生成するＯＳＤ発生機能部７３とを備える。【選択図】  図２
2005229482.tif 000002
【特許請求の範囲】
【請求項１】
ワイヤレスＡＶシステムを構成する機器において、
受信した映像信号の垂直帰線消去期間に重畳されるテレテキストデータを抽出するテレテキストデコーダと、
前記抽出したテレテキストデータのうち、一部のテレテキストページを選択する選択手段と、
受信した映像信号の映像及び音声データ、及び／又は前記選択されたテレテキストページをワイヤレスにより伝送する伝送手段と
を備えることを特徴とする機器。
【請求項２】
ワイヤレスＡＶシステムを構成する機器において、
データを送信する送信側機器は、
受信した映像信号の垂直帰線消去期間に重畳されるテレテキストデータを抽出するテレテキストデコーダと、
制御コマンドを送受信する通信手段と、
前記抽出したテレテキストデータから前記受信した制御コマンドにより指定されるテレテキストページを選択する選択手段と、
受信した映像信号の映像及び音声データ、及び／又は前記選択されたテレテキストページをワイヤレスにより伝送する伝送手段と
を備えることを特徴とする機器。
【請求項３】
ワイヤレスＡＶシステムを構成する機器において、
データを受信する受信側機器は、
テレテキストページ及びその関連情報を入力する入力手段と、
前記入力されたテレテキストページ及びその関連情報を制御コマンドに変換する変換手段と、
前記制御コマンドをテレテキストデコーダを備える機器に送出する通信手段と
を備えることを特徴とする機器。
【請求項４】
前記受信側機器は、受信したデータを表示する表示手段を備えることを特徴とする請求項３記載の機器。
【請求項５】
前記受信側機器は、テレテキストページ及びその関連情報を入力するＧＵＩを生成するＧＵＩ生成手段を備えることを特徴とする請求項３又は４に記載の機器。
【請求項６】
前記ＧＵＩ生成手段は、ＧＵＩ表示ＯＳＤ機能を含んで構成され、
前記表示手段は、生成したテレテキストページ及びその関連情報を表示することを特徴とする請求項５記載の機器。
【請求項７】
前記入力手段は、テレテキストページ入力の操作、その開始及び終了を入力することを特徴とする請求項３記載の機器。
【請求項８】
前記変換手段は、入力されるテレテキストページを所定桁一括して制御コマンドに変換することを特徴とする請求項３記載の機器。
【請求項９】
前記通信手段は、前記制御コマンドを前記ワイヤレスＡＶ伝送システムが通信シーケンスとして備えるインターバルで送信することを特徴とする請求項２又は３に記載の機器。
【請求項１０】
前記伝送手段は、伝送するデータをＭＰＥＧにエンコードして伝送することを特徴とする請求項１又は２に記載の機器。
【請求項１１】
前記伝送手段は、伝送するデータをＡＶストリームにして伝送することを特徴とする請求項１、２又は１０のいずれか一項に記載の機器。
【請求項１２】
表示装置と、前記表示装置に映像及び音声データをワイヤレスで伝送するセンタ装置とから構成されるテレビジョン受信機において、
前記センタ装置は、
テレテキスト放送を受信するチューナ部と、
受信した映像信号の垂直帰線消去期間に重畳されるテレテキストデータを抽出するテレテキストデコーダと、
制御コマンドを送受信する通信手段と、
前記抽出したテレテキストデータから前記受信した制御コマンドにより指定されるテレテキストページを選択する選択手段と、
受信した映像信号の映像及び音声データ、及び／又は前記選択されたテレテキストページをワイヤレスにより伝送する伝送手段とを備え、
前記表示装置は、
テレテキストページ及びその関連情報を入力する入力手段と、
前記入力されたテレテキストページ及びその関連情報を制御コマンドに変換する変換手段と、
前記制御コマンドを前記センタ装置に送出する通信手段と
を備えることを特徴とするテレビジョン受信機。
【請求項１３】
前記表示装置は、テレテキストページ及びその関連情報を入力するＧＵＩを生成するＧＵＩ生成手段を備えることを特徴とする請求項１２に記載のテレビジョン受信機。
【請求項１４】
前記ＧＵＩ生成手段は、ＧＵＩ表示ＯＳＤ機能を含んで構成され、
前記ＯＳＤ機能により生成したテレテキストページ及びその関連情報を表示することを特徴とする請求項１３に記載のテレビジョン受信機。
【請求項１５】
前記入力手段は、テレテキストページ入力の操作、その開始及び終了を入力することを特徴とする請求項１２に記載のテレビジョン受信機。
【請求項１６】
前記変換手段は、入力されるテレテキストページを所定桁一括して制御コマンドに変換することを特徴とする請求項１２に記載のテレビジョン受信機。
【請求項１７】
前記通信手段は、前記制御コマンドを前記センタ装置と前記表示装置間の通信シーケンスとして備えるインターバルで送信することを特徴とする請求項１２に記載の機器。
【請求項１８】
前記入力手段は、ユーザにより操作されるリモートコントロール装置を含むことを特徴とする請求項１２又は１５に記載のテレビジョン受信機。
【請求項１９】
前記伝送手段は、前記表示装置に伝送するデータをＭＰＥＧにエンコードして伝送することを特徴とする請求項１２記載のテレビジョン受信機。
【請求項２０】
前記伝送手段は、伝送するデータをＡＶストリームにして伝送することを特徴とする請求項１２又は１９に記載のテレビジョン受信機。
【請求項２１】
ワイヤレスＡＶシステムを構成する機器のデータ通信方法において、
送信側では、受信した映像信号の垂直帰線消去期間に重畳されるテレテキストデータを抽出するステップと、
制御コマンドを受信するステップと、
前記抽出したテレテキストデータから前記受信した制御コマンドにより指定されるテレテキストページを選択するステップと、
受信した映像信号の映像及び音声データ、及び／又は前記選択されたテレテキストページをワイヤレスにより伝送するステップとを有し、
受信側では、
テレテキストページ及びその関連情報を入力するステップと、
入力されたテレテキストページ及びその関連情報を制御コマンドに変換するステップと、
前記制御コマンドを送信側に送出するステップと
を有することを特徴とするデータ通信方法。
【発明の詳細な説明】
【技術分野】
【０００１】
本発明は、本発明は、ワイヤレスによりデータを伝送するワイヤレスＡＶシステム等を構成する機器、テレビジョン受信機及びデータ通信方法に関する。
【背景技術】
【０００２】
最新のテレビジョン受信機はテレテキストデコーダを装着しており、これを使ってテレビジョン信号の垂直帰線消去期間中に伝送される情報をテレビジョン受信機の画面に表示することができる。この情報は、例えばヘッドライン、スポーツニュース、天気予報などの形をした最新の毎日のニュースである。しかし、この情報の大事な部分はサブタイトル情報であって、これは映し出されているテレビジョン番組にサブタイトルラインの形で含めることができる。
【０００３】
現在運用中のテレテキスト放送システムにおいて、テレテキスト放送データは、テレビジョン信号の垂直帰線消去期間内の決められた水平走査期間に重畳されているデータを単位長として、データ・パケット形式で送出される。このテレテキスト放送データには、テレテキスト情報だけではなく、図形等の情報データも含まれる。したがって、以下の説明では、これらデータを総称して単にページデータと呼ぶ。
【０００４】
テレテキスト放送システムについて記載した公知文献としては、例えば、「WORLD SYSTEM TELETEXT AND DATA BROADCASTING SYSTEM」(The Department of Trade and Industry Kingsgate House, December 1987)に詳しく記載されている。この文献に基づき、本発明の前提となるテレテキスト放送システムについて、特に、本発明に関係する事項を中心として以下に説明する。テレテキスト放送とは、文字や図形で構成された画像情報を符号化してデジタル信号の形でテレビ放送波に多重し、受信側で映像信号に変換してテレビ受信機に表示する放送である。画像の情報をもつ文字信号は、ＴＶ映像信号中のテレビ画面に現れないＶＢＩ（垂直帰線消去期間）に重畳して伝送される。
【０００５】
テレテキスト放送の特徴としては、以下の(1)〜(3)の点を挙げることができる。
(1)１つの番組を何回も反復して放送しているので、好みのページを希望する時に、いつでも視聴することができる。
(2)１ページ分の画面を伝送するのに要する時間と、反復周期を考慮すると、１つのＴＶ電波中に多数のページを送ることが可能であり、これら数多くのページの中からそれほどの待ち時間なしに希望のページを選択できる。
(3)テレテキスト放送受信機にプリンタを付加することにより、画面の内容を記録（ハードコピー）することができる。
【０００６】
テレテキスト放送の伝送方式としては、文字やモザイク図形を符号化して伝送するコード伝送方式とがある。該コード伝送方式は、１画面当りの伝送速度は速いが、文字発生器を必要とする。
【０００７】
テレテキスト放送システムの基本構成について以下に説明する。送信側では、テレテキストページ制作装置により各種の文字や図形で構成された画面を作成し、文字や特定のモザイク図形等は、予め決められた基準のもとに符号化してコードデータに変換する。該コードデータにページ番号，サブページ番号，表示モードなど、各種の制御符号を付して１ページのテキスト画面データとする。作成した多数のテキストページを一旦大容量のメモリに記憶した後、送出手順に従って順次読み出し、テキストページ送出装置で同期符号や誤り訂正符号などを加え、データパケットに割り付けたテキスト信号とする。これを多重化装置に供給し、映像信号のＶＢＩの特定のＨ（水平走査期間）に重畳する。
【０００８】
受信側では、テレビ受信機にデコーダを内蔵したテレテキスト放送受信機を用いて受信するか、あるいは既存のテレビ受信機にテレテキスト放送アダプタを接続して受信する。デコーダは、復調した映像信号からキーパッド（キーボード）で指定したページ番号のテキスト信号を復号し、これによって文字発生器を制御して符号に対応した文字ドットパターンデータを発生する。該文字ドットパターンデータは、１画面表示メモリに１画面分（ページ分）記憶され、１／５０秒ごとに何回も読み出される。読み出されたドットパターンデータは受像管に供給され、受像管上に文字画面として表示される。
【０００９】
テレテキスト放送の種別としては、テレビ番組の内容と関係のない独立ページ，テレビ番組の内容を補完する補完ページ及びテレビ番組の内容に対応した字幕を表示するSubtitleページの３つがある。独立ページの応用例としては、生活情報，各種ニュース，案内番組などの一般ページ，全面固定表示とＴＶ画面にニュース情報がスーパーインポーズされるNews Flashページなどがある。また、補完番組の応用例としては、クイズの答，解説などのテレビ番組の補完，１行横スクロール表示によるテレビ番組の補完などがある。また、Subtitleページの応用例としては、ドラマ番組などの字幕スーパー，歌番組などの歌詞スーパーなどがある。番組の形態には、各番組ごとに１ページ分のデータを受信次第途中のページからでも逐次的に提示する非一括形と、全ページ分のデータを受信してから提示する一括形とがある。
【００１０】
テレテキスト放送の表示には、画面の全てがテキストページである単独表示と、テレビ画面の一部にテキストページを重ねて表示するスーパー表示の２種類がある。また、表示モードは、(1)全面固定表示（表示領域に静止した文字及び図形を表示する），(2)スーパー固定表示（テレビ放送の映像に重ねて静止した文字及び図形を表示する），(3)字幕表示（スーパー固定表示であって、同時に放送されるテレビ放送番組の内容と直接に関係のある文字及び図形を表示する）がある。
【００１１】
テレテキスト放送は、一種のデータ伝送であり、伝送したい情報である文字や図形を符号化し、適当な長さに分割して、映像信号のＶＢＩ（垂直帰線消去期間）内のＨ（水平走査期間）に重畳して伝送する。
【００１２】
テレテキスト放送では、文字や図形の情報を伝送するために、基本符号体系として、データ通信やコンピュータなどに用いられる情報交換用８単位符号が採用されている。通常の標準欧文文字は、１byte（７bit＋パリティビット）で表現される。図２１に示すのが、標準キャラクタセットである。上位４ビット（ｂ6〜ｂ4）による数０〜７を列番号、下位４ビット（ｂ3〜ｂ0）による数０〜１５を行番号とし、ビット組み合わせを列番号／行番号の形式で表す。例えば、３／４は ０１１０１００（ｂ6〜ｂ0）になる。このようにして、１つの符号位置は７ビットの組み合わせで設定でき、１２８（８×１６）の符号位置が表現できる。０／０〜０／１５と１／０〜１／１５の領域は、文字の色や大きさなど、属性を表す制御符号の領域である。
【００１３】
漢字などを表現する時は、２byteデータを設定するが、その時の１byteデータは図２２に示す通りである。図２２は、８単位符号の符号表を示す図である。８単位符号におけるビット組み合わせの上位４ビット（ｂ8〜ｂ5）による数００〜１５を列番号、下位４ビット（ｂ4〜ｂ1）による数０〜１５を行番号とし、ビット組み合わせを列番号／行番号の形式で表す。例えば、０３／４は００１１０１００（ｂ8〜ｂ1）になる。このようにして、１つの符号位置は８ビットの組み合わせで設定でき、２５６（１６×１６）の符号位置が表現できる。符号表では、符号領域を４つに分けており、Ｃ０（００，０１列）及びＣ１（０８，０９列）は制御符号を呼び出す領域、ＧＬ（０２〜０７列）及びＧＲ（１０〜１５列）は文字符号を呼び出す領域である。なお、０２／０（ＳＰ）、０７／１５（ＤＥＬ）１０／０及び１５／１５は特殊符号領域であり、ＧＬ，ＧＲ領域ともそれぞれ９４個の文字を呼び出せる。つまり、この符号表を用いると、図２３に示すような種々の符号集合から必要な集合を適宜呼び出すことによって符号の効率的な伝送ができる。
【００１４】
伝送する文字や図形を表示領域のどの位置に、何色で、どんな大きさに表示するかなど、書式，表示などに関する制御情報を送るために制御符号がある。文字の種類には、漢字系集合，英数集合，片仮名集合，平仮名集合がある。モザイク図形を符号化する方法は、基本的には文字の符号化方法と同様であるが、表現を豊かにするためにモザイク素片の重ね合わせや分離などの機能がある。
【００１５】
図２４は、以上に述べたテレテキスト放送を送受信するための従来のテレテキスト放送受信装置の構成図である。
【００１６】
図２４（ａ）に示すように、放送局内で、テレビジョン信号にテレテキスト放送ページデータをＭＩＸ６６１によりミキシングして、ＲＦ変調器６６２で変調し、アンテナ６６３から送信する。また、図２４（ｂ）に示す受信側では、アンテナ６６４より受信したテレビ電波をチューナ６６５にて受信し、ＩＦ検波回路６６６で映像信号を取り出す。テレテキスト放送データは、テレテキスト放送デコーダ７００にて復号して各映像信号及び音声信号と各々ＭＩＸ６６８によりミキシングし、モニタ６６９に提示する。
【００１７】
従来のテレテキスト放送受信装置としては、例えば、特許文献１に記載されたものがある。特許文献１には、デジタル的に符号化されたデータとして伝送されるテレテキスト情報を受信し、蓄積し、処理し、かつその各々が各ページ番号（page number）によって識別されている複数の異なるページを備えるテレテキストデコーダ装置（teletext decoder arrangement）である。テレテキスト情報の伝送は、通常のテレビジョン画像情報を表すどんな画像も存在しないテレビジョンラインのテレビジョン信号である。
【００１８】
また、特許文献２には、各々が各ページ番号によって識別され、かつ各々が多数のデータパケットからなる多数の種々のページを構成するテレテキスト情報用テレテキストデコーダであって、プロセッサ手段とページ番号によって各ページを選択するページ選択手段と、受信時に選択ページの番号を検出する検出手段と、選択ページの各データパケットを記憶させるための少なくとも１個のページメモリとを備えており、該ページメモリが前記選択ページの対応するデータパケットを記憶させるための多数の記憶行を備えているテレテキストデコーダが開示されている。
【００１９】
また、特許文献３に記載のテレビジョン受信機は、順次サーチして受信した各放送局のうち、放送局テーブル内に格納された放送局識別コードがＶＰＳあるいはテレテキスト内に含まれている放送局を時刻合わせ用放送局として決定する。
【００２０】
【特許文献１】特開平１−２５１９７２号公報
【特許文献２】特開平２−２６１８９号公報
【特許文献３】特開平８−２１４２２３号公報
【発明の開示】
【発明が解決しようとする課題】
【００２１】
しかしながら、このような従来のテレテキスト装置を備えるテレビジョン受信機やビデオ等のＡＶ機器にあっては、ワイヤレスによる接続環境下でテレテキスト情報（TELETEXT Page）を送ることは考慮されていなかったため、以下のような問題点があった。
【００２２】
すなわち、TELETEXT Pageは、上述したように文字や図形の情報をはじめとしてＢＳデジタル放送のデータ情報並の情報量があるため、同じくテレビジョン信号の垂直帰線消去期間に情報を付加するＥＤＳ（Extended Data Service）信号に比べて格段にデータ量が多い。
【００２３】
このため、表示装置と放送受信用チューナを有するセンタ装置とが分離可能な、いわゆる分離型テレビジョン受信機において、ワイヤレスにより映像及び音声データと共にTELETEXT Pageを伝送しようとすると、TELETEXT Pageデータ量が余りにも多いため、(1)ＧＵＩ映像を含むビデオ信号をＡＶストリームへ変換してデータ伝送することからレスポンスが悪い、(2)ＧＵＩ表示品位が悪化する、という課題があった。より具体的に説明する。ワイヤレスの伝送レートが限られているためデータ量の多いTELETEXT Pageをリアルタイムで伝送することは難しい。そこでTELETEXT PageをＭＰＥＧ２などのＡＶストリームへ変換して送ることになるため、上記(1)のレスポンスの悪化が生じる。また、TELETEXT Pageを映像情報にＭｉｘした上でＡＶストリームへ変換して送ることになるため、上記(2)の映像の高精細（ＧＵＩ表示品位）が失われる。
【００２４】
本発明は、このような課題に鑑みてなされたものであって、ワイヤレスＡＶシステムを構成するテレビジョン受信機等の機器において、ビデオ信号の表示品位及びＧＵＩ表示品位を大幅に高めることができ、レスポンスを向上させることができる機器、テレビジョン受信機及びデータ通信方法を提供することを目的とする。
【課題を解決するための手段】
【００２５】
本発明の機器は、ワイヤレスＡＶシステムを構成する機器において、受信した映像信号の垂直帰線消去期間に重畳されるテレテキストデータを抽出するテレテキストデコーダと、前記抽出したテレテキストデータのうち、一部のテレテキストページを選択する選択手段と、受信した映像信号の映像及び音声データ、及び／又は前記選択されたテレテキストページをワイヤレスにより伝送する伝送手段とを備えることを特徴としている。
【００２６】
本発明の機器は、ワイヤレスＡＶシステムを構成する機器において、データを送信する送信側機器は、受信した映像信号の垂直帰線消去期間に重畳されるテレテキストデータを抽出するテレテキストデコーダと、制御コマンドを送受信する通信手段と、前記抽出したテレテキストデータから前記受信した制御コマンドにより指定されるテレテキストページを選択する選択手段と、受信した映像信号の映像及び音声データ、及び／又は前記選択されたテレテキストページをワイヤレスにより伝送する伝送手段とを備えることを特徴としている。
【００２７】
本発明の機器は、ワイヤレスＡＶシステムを構成する機器において、データを受信する受信側機器は、テレテキストページ及びその関連情報を入力する入力手段と、前記入力されたテレテキストページ及びその関連情報を制御コマンドに変換する変換手段と、前記制御コマンドをテレテキストデコーダを備える機器に送出する通信手段とを備えることを特徴としている。
【００２８】
前記受信側機器は、受信したデータを表示する表示手段を備えることがより好ましい。
前記受信側機器は、テレテキストページ及びその関連情報を入力するＧＵＩを生成するＧＵＩ生成手段を備えることがより好ましい。
【００２９】
より好ましい具体的な態様として、前記ＧＵＩ生成手段は、ＧＵＩ表示ＯＳＤ機能を含んで構成され、前記表示手段は、生成したテレテキストページ及びその関連情報を表示するものである。
【００３０】
より好ましい具体的な態様として、前記入力手段は、テレテキストページ入力の操作、その開始及び終了を入力するものである。
【００３１】
また、前記変換手段は、入力されるテレテキストページを所定桁一括して制御コマンドに変換することがより好ましい。
【００３２】
前記通信手段は、前記制御コマンドを前記ワイヤレスＡＶ伝送システムが通信シーケンスとして備えるインターバルで送信するものであってもよい。
【００３３】
前記伝送手段は、伝送するデータをＭＰＥＧにエンコードして伝送するものであってもよく、伝送するデータをＡＶストリームにして伝送するものであってもよい。
【００３４】
本発明のテレビジョン受信機は、表示装置と、前記表示装置に映像及び音声データをワイヤレスで伝送するセンタ装置とから構成されるテレビジョン受信機において、前記センタ装置は、テレテキスト放送を受信するチューナ部と、受信した映像信号の垂直帰線消去期間に重畳されるテレテキストデータを抽出するテレテキストデコーダと、制御コマンドを送受信する通信手段と、前記抽出したテレテキストデータから前記受信した制御コマンドにより指定されるテレテキストページを選択する選択手段と、受信した映像信号の映像及び音声データ、及び／又は前記選択されたテレテキストページをワイヤレスにより伝送する伝送手段とを備え、前記表示装置は、テレテキストページ及びその関連情報を入力する入力手段と、前記入力されたテレテキストページ及びその関連情報を制御コマンドに変換する変換手段と、前記制御コマンドを前記センタ装置に送出する通信手段とを備えることを特徴としている。
【００３５】
また、前記表示装置は、テレテキストページ及びその関連情報を入力するＧＵＩを生成するＧＵＩ生成手段を備えることがより好ましい。
【００３６】
より好ましい具体的な態様として、前記ＧＵＩ生成手段は、ＧＵＩ表示ＯＳＤ機能を含んで構成され、前記表示手段は、生成したテレテキストページ及びその関連情報を表示するものである。
【００３７】
より好ましい具体的な態様として、前記入力手段は、テレテキストページ入力の操作、その開始及び終了を入力するものである。
【００３８】
また、前記変換手段は、入力されるテレテキストページを所定桁一括して制御コマンドに変換することがより好ましい。
【００３９】
前記通信手段は、前記制御コマンドを前記センタ装置と前記表示装置間の通信シーケンスとして備えるインターバルで送信するものであってもよい。
【００４０】
また、前記入力手段は、ユーザにより操作されるリモートコントロール装置を含むものであってもよい。
【００４１】
前記伝送手段は、前記表示装置に伝送するデータをＭＰＥＧにエンコードして伝送するものであってもよく、伝送するデータをＡＶストリームにして伝送するものであってもよい。
【００４２】
本発明のデータ通信方法は、ワイヤレスＡＶシステムを構成する機器のデータ通信方法において、送信側では、受信した映像信号の垂直帰線消去期間に重畳されるテレテキストデータを抽出するステップと、制御コマンドを受信するステップと、前記抽出したテレテキストデータから前記受信した制御コマンドにより指定されるテレテキストページを選択するステップと、受信した映像信号の映像及び音声データ、及び／又は前記選択されたテレテキストページをワイヤレスにより伝送するステップとを有し、受信側では、テレテキストページ及びその関連情報を入力するステップと、入力されたテレテキストページ及びその関連情報を制御コマンドに変換するステップと、前記制御コマンドを送信側に送出するステップとを有することを特徴としている。
【発明の効果】
【００４３】
以上、詳述したように、本発明によれば、ワイヤレスによる接続環境下でテレテキストデータを伝送することができる。
【００４４】
また、ビデオ信号の表示品位及びＧＵＩ表示品位を大幅に高めることができ、レスポンスを向上させることができる。
【００４５】
したがって、ディスプレイ分離型のワイヤレスＴＶ受信機など、ワイヤレスＡＶシステムを構成する機器に本発明を適用すれば、表示品位及びレスポンスの向上を図ることができる。将来、ワイヤレスにより伝送するビデオ信号やテレテキストデータのデータ量が増大した場合であっても容易に対応することが可能である。
【発明を実施するための最良の形態】
【００４６】
以下、添付図面を参照しながら本発明の好適な機器、テレビジョン受信機及びデータ通信方法の実施の形態について詳細に説明する。
【００４７】
〔本発明の基本的な考え方〕
本発明の基本的な考え方について説明する。
テレテキスト放送システムの送信側では、各種の文字や図形で構成された画面を作成し、文字や特定のモザイク図形等は、予め決められた基準のもとに符号化してコードデータに変換する。該コードデータにページ番号，サブページ番号，表示モードなど、各種の制御符号を付して１ページのテキスト画面データとする。作成した多数のテキストページを一旦大容量のメモリに記憶した後、送出手順に従って順次読み出し、テキストページ送出装置で同期符号や誤り訂正符号などを加え、データパケットに割り付けたテキスト信号とする。これを多重化装置に供給し、映像信号のＶＢＩの特定のＨ（水平走査期間）に重畳する。
【００４８】
受信側では、テレテキストデコーダを装備したテレテキスト放送受信機を用いて受信する。テレテキストデコーダは、復調した映像信号からキーパッド（キーボード）で指定したページ番号のテキスト信号を復号し、これによって文字発生器を制御して符号に対応した文字ドットパターンデータを発生する。該文字ドットパターンデータは、１画面表示メモリに１画面分（ページ分）記憶され、１／５０秒ごとに何回も読み出される。読み出されたドットパターンデータは表示部上に文字画面として表示される。
【００４９】
ところが、テレテキスト放送システムの受信側が、テレテキストデコーダ及び放送受信用チューナ部を有するセンタ装置と表示装置とが分離可能な、いわゆる分離型テレビジョン受信機である場合には、センタ装置と表示装置とがワイヤレスで接続されることになる。上述したように、テレテキストデータは元々ＢＳデジタル放送に匹敵するほどデータ量が多い上に文字ドットパターンや図形なども含むことからTELETEXT Pageデータ量が余りにも多く、解決課題で述べたように(1)ＧＵＩ映像を含むビデオ信号をＡＶストリームへ変換してデータ伝送するのでレスポンスが悪い、(2)ＧＵＩ表示品位が悪化することが考えられる。現状では、テレテキスト放送システムの受信側が、上記分離型テレビジョン受信機であるものが存在しなかったため問題が顕在化していなかったにすぎない。
【００５０】
本発明者は、文字ドットパターンや図形などを含むテレテキストデータのページ（TELETEXT Page）が、ワイヤレスで分離型テレビジョン受信機のセンタ装置（送信機）から表示装置（受信機）に伝送されていることに着目した。データ量の多いTELETEXT Pageをそのまま映像情報にＭｉｘした上でＡＶストリームへ変換してワイヤレスで送る構成をとっているから、レスポンスの悪化と映像の高精細（ＧＵＩ表示品位）が失われるのである。
【００５１】
本発明者は、テレテキストデータのページ（TELETEXT Page）を一律に又は単にセンタ装置（送信機）から表示装置（受信機）に伝送するのではなく、センタ装置（送信機）が、表示装置（受信機）からユーザによるTELETEXT Page入力，その開始／終了などをコマンドとして受信し、受信したコマンドをデコードしたTELETEXT Pageを表示装置（受信機）に伝送するようにすれば、ユーザ入力操作がなされなかったTELETEXT Pageについては映像情報と共にエンコードされないことになり、ワイヤレスによる接続環境下のテレテキストテレビジョン受信機等において、レスポンス及びＧＵＩ表示品位を大幅に向上できることを見出した。
【００５２】
そこで、本発明は、受信機でTELETEXT Page入力等を入力し、コマンドとして送信機に送り、送信機は受信したコマンドをデコードし、デコードしたコマンドに基づく受信機からのTELETEXT Pageを受信機に伝送することを基本的な特徴とする。
【００５３】
また、本発明は、受信機がTELETEXT Page入力ＧＵＩ生成手段を備え、TELETEXT Page入力の操作時にTELETEXT Page入力ＧＵＩを生成して表示することでTELETEXT Page入力等を容易にする。また、そのためのTELETEXT Page入力キー、デコード機能、TELETEXT Page入力ＧＵＩ生成のためのＯＳＤ機能などを備える。主要機能を以下に述べる。
【００５４】
<構成例>
・受信機でTELETEXT Page入力を操作するためのキーを入力
・TELETEXT Page入力の開始/終了、TELETEXT Page入力キーを受信機でデコード
・受信機でTELETEXT Page入力各項目に設定する制御データを確定
・受信機で確定した制御データをコマンドに変換して送信機に送信
・送信機は受信機から受信したコマンドをデコード
・送信機はデコードしたコマンドに基づく受信機からのTELETEXT Pageを受信機に伝送
より好ましくは、
・受信機はTELETEXT Page入力ＧＵＩ生成手段を持つ
TELETEXT Page入力ＧＵＩ生成手段は、ＧＵＩ表示ＯＳＤ機能である
・受信機でTELETEXT Page入力の開始/終了、TELETEXT Page入力キーをワイヤレスＡＶ伝送システムのコマンドに変換
・受信機は所定桁のTELETEXT Page入力を一括してコマンドに変換して送信
・受信機はコマンドをワイヤレスＡＶ伝送システムのインターバルで送信
・送信機は受信したコマンドをデコードしてTELETEXT Page入力の開始/終了、TELETEXT Page入力キー得る
以上の構成により、受信機側でTELETEXT Page入力表示を行うことでＧＵＩ表示品位を改善することができる。また、受信機側でTELETEXT Page入力を操作するＧＵＩ開始/終了、TELETEXT Page入力をデコードするために操作に対する表示のレスポンスを改善することができる。
【００５５】
〔実施例〕
図１は、上記基本的な考え方に基づく本発明の実施の形態のワイヤレスＡＶシステムの構成を示す図である。本実施の形態のワイヤレスＡＶシステムは、デジタル放送の電波を受信可能なディスプレイ分離型のワイヤレスＴＶ受信機に適用した例である。
【００５６】
図１において、ワイヤレスＡＶシステム１は、ベース機器としてのワイヤレスセンタユニット（以下、ワイヤレスセンタという）２と、ポータブル端末としてのテレビジョン（ＴＶ）本体ユニット（以下、ＴＶ本体という）３とから構成され、ワイヤレスセンタ２（無線通信装置，機器，送信側機器，センタ装置）とＴＶ本体３（無線通信装置，機器，受信側機器，表示装置）とはペアとなって無線伝送ネットワークを構成する。
【００５７】
ワイヤレスセンタ２は、ＢＳ端子１１，Ｕ／ＶＨＦアンテナ端子１２，ダイバーシティ端子１３の各アンテナ端子と、デジタルＶＴＲ，ＤＶＤプレーヤなどの機器を接続するＳ端子付きビデオ１入力端子１４，デコーダ入力／ビデオ２入力端子１５，モニタ／ＢＳ出力／ビデオ３入力端子１６、ＡＣ電源部１７及びＣａｒ−ＤＣ電源部１８を備える。
【００５８】
ＴＶ本体３は、デジタルＶＴＲ，ＤＶＤ（Digital Versatile Disc）プレーヤなどの機器を接続するＴＶ出力／ビデオ４入力端子２１、ＡＣ電源部２２及びＣａｒ−ＤＣ電源部２３を備える。
【００５９】
ＴＶ本体３は、ワイヤレスセンタ２と分離可能でバッテリ内蔵により携帯又は可搬できる薄型表示装置であり、例えば液晶テレビジョン（以下、液晶テレビという）、無機ＥＬ／有機ＥＬディスプレイ、プラズマディスプレイなどの種々の表示装置を含む広い概念であり、表示機構により限定されるものではない。また、本明細書において、ＴＶ本体３は、主として表示機能や音響機能などを有し、一方、ワイヤレスセンタ２は、主としてチューナ部やＴＶ本体３を制御する制御機能などを収容する。本実施の形態によるＴＶ本体３は、薄型表示装置として液晶テレビを例にして説明する。
【００６０】
ワイヤレスセンタ２とＴＶ本体３間は、ＩＥＥＥ８０２．１１規格に準拠するＳＳ（Spread Spectrum：スペクトラム拡散）無線方式によりデータが送受信される。最近、周波数帯として５ＧＨｚ帯が開放され、２．４ＧＨｚ帯の代わりに５ＧＨｚ帯を用いる態様でもよい。ワイヤレスセンタ２からＴＶ本体３へのデータ伝送は、ＭＰＥＧ（Moving Picture Expert Group）２の映像圧縮フォーマットを用いて、動画像伝送やDVD-Video、デジタル放送を１０Ｍｂｐｓを超える通信回線で伝送する。また、ワイヤレスセンタ２とＴＶ本体３間のコマンド伝送は、ＳＳ無線方式により行う。
【００６１】
ＭＰＥＧビデオやＭＰＥＧオーディオの符号化されたストリーム（ビット列）、さらに他の符号化ストリームも含めて実際のアプリケーションに適用する場合には、同期を含めて符号化ストリームを多重化して統合し１本化するとともに、そのストリームを蓄積メディアやネットワーク等が持つ、固有の物理フォーマットやプロトコルに適合したデータ形式にする必要がある。
【００６２】
ＭＰＥＧ２システムには、ＭＰＥＧ１と同様に１つのプログラムを構成するプログラム・ストリーム（ＭＰＥＧ２−ＰＳ，ＰＳ：Program Stream）と、複数のプログラムを構成できるトランスポート・ストリーム（ＭＰＥＧ２−ＴＳ，ＴＳ：Transport Stream）とがある。
【００６３】
ＭＰＥＧストリームは、１ビットのフラグも多数あるがヘッダなどの各単位ごとにバイト整列されたバイト・ストリームである。ＭＰＥＧシステム全体に共通した構造として固定長でないデータ部分には、長さを示す情報が先行して置かれ、不要な場合はその部分をスキップしたり、次のデータ群の先頭を確認して信頼性の高い分離処理ができるデータ構造となっている。
【００６４】
ＭＰＥＧ２符号化方式に準拠し、圧縮された映像、音声信号を受信する装置は、復号化側において映像、音声データのオーバーフロー、アンダーフローの防止するために、符号化側での映像、音声サンプリング周波数と、復号化側での映像、音声サンプリング周波数またはＳＴＣ（System Time Clock）を一致させる必要がある。
【００６５】
そのため、復号化装置ではＭＰＥＧ２システム規格（ＩＳＯ／ＩＥＣ規格１３８１８−１）で規定されたＰＣＲ（Program Clock Reference：プログラム時刻基準参照値）またはＳＣＲ（System Clock Reference：システム時刻基準参照値）を用いることにより、符号化側の映像、音声サンプリング周波数と復号化側の映像、音声サンプリング周波数を一致させている。
【００６６】
図２は、上記ワイヤレスＡＶシステムのワイヤレスセンタ２の構成を示すブロック図である。
【００６７】
図２において、ワイヤレスセンタ２は、ＢＳ端子１１に接続され選局信号によりＢＳ放送を受信・選局するＢＳチューナ３１と、Ｕ／ＶＨＦアンテナ端子１２に接続され選局信号によりＵ／ＶＨＦ放送を受信・選局するＵ／ＶＨＦチューナ３２と、ＢＳチューナ３１又はＵ／ＶＨＦチューナ３２で受信・選局された映像・音声（ＡＶ）信号からテレテキストデータを抽出し、蓄積して処理するテレテキストデコーダ（TELETEXT Decoder）１００と、ＢＳチューナ３１又はＵ／ＶＨＦチューナ３２で受信・選局された映像・音声（ＡＶ）信号を復調する映像・音声復調部３３と、音声切換信号により受信した音声とＥＰＧ（Electrical Program Guide：電子番組ガイド）などの番組に関する情報とを切換える音声切換部３４と、ソース選択信号により受信した映像・音声情報、番組に関する情報、ビデオ１入力端子１４、デコーダ入力／ビデオ２入力端子１５、モニタ／ＢＳ出力／ビデオ３入力端子１６からの外部入力情報を選択する第１のセレクタ３５と、ＴＶコマンドを送受信して第１のセレクタ３５により選択されたデータをＭＰＥＧ２の映像圧縮フォーマットに変換し、ＳＳ無線方式によりＴＶ本体３に送信するＳＳ送信ユニット３６（通信手段，伝送手段）と、選局信号４１，音声切換信号４２，ソース選択信号４３，テレテキスト制御信号１０１等を送信するとともに、ＴＶコマンド４４を送受信して装置全体の制御を行うワイヤレスセンタマイクロコンピュータ（以下、マイコンという）３７（選択手段，デコード手段）と、ワイヤレスセンタマイコン３７の制御プログラム、通信制御データ、さらに通信チャンネル変更プログラム等の種々のデータを記憶する電気的に書換可能な不揮発性メモリであるＥＥＰＲＯＭ（electrically erasable programmable ROM）３８とを備えて構成される。
【００６８】
ワイヤレスセンタ２は、放送受信用チューナを複数（ここでは２台）備え、複数のＢＳチューナ３１，Ｕ／ＶＨＦチューナのうち少なくとも１つは地上デジタル放送受信可能なチューナであってもよい。
【００６９】
テレテキストデコーダ１００は、マイコン３７からのテレテキス制御信号１０１に従ってチューナ３１，３２で受信・選局された映像・音声（ＡＶ）信号からデジタル的に符号化されたデータとして伝送されるテレテキスト情報を抽出し、蓄積して処理し、かつその各々が各ページ番号（page number）によって識別されている複数の異なるページを備える。ここで、テレテキストデータは、テレビジョン信号の垂直帰線消去期間内の決められた水平走査期間に重畳されているデータを単位長として、データ・パケット形式で送出される。このテレテキスト放送データには、テレテキスト情報だけではなく、図形等の情報データも含まれるページデータである。
【００７０】
また、テレテキストデコーダ１００は、ページ番号によって各ページを選択するとともに、受信時に選択ページの番号を検出し、選択ページの各データパケットを記憶させるための少なくとも１個のページメモリとを備えており、該ページメモリが前記選択ページの対応するデータパケットを記憶させるための多数の記憶行を備える。テレテキスト情報の伝送は、テレビジョンライン中のテレビジョン信号であり、ここでは正規のテレビジョン画像情報を表すどんな画像信号も表わされていない。これらのテレビジョンラインは、データラインとして規定されている。
【００７１】
ここで、テレテキストについて簡単に説明すると、テレテキストによる１つのマガジンのデータ伝送は０から２９までのパケットを用いて行われる。但し、マガジン番号８のみパケット３０まであり、このパケット８／３０には、前述のパケット８／３０／ｆｏｒｍａｔ２の外にパケット８／３０／ｆｏｒｍａｔ１も含まれており、これらのパケットは、放送局のサービスデータパケットとしておよそ１秒間隔で送信が行われる。また、パケットＸ／ＯはＴｅｌｅｔｅｘｔにおけるＰａｇｅ−Ｈｅａｄｅｒとして定義されている。
【００７２】
ワイヤレスセンタマイコン３７は、ワイヤレスセンタ装置全体の制御を行うとともに、テレテキストデコーダ１００を制御するテレテキスト制御部としての機能を有し、テレテキストデコーダ１００を制御してテレテキストデータを取り出す処理、ＴＶ本体３からの制御コマンドを送受信する通信処理、取り出したテレテキストデータから受信した制御コマンドをデコードするデコード処理、デコードしたコマンドにより指定されるテレテキストページを選択する選択処理、受信した映像信号の映像及び音声データ、及び／又は選択されたテレテキストページをワイヤレスにより伝送する伝送処理を実行する。通信のシーケンスについては、図６及び図７により後述する。
【００７３】
また、上記ＥＥＰＲＯＭ３８には、テレテキストデータを処理するための情報やテレテキストデータを表示させるコマンドプロトコルが格納される。
【００７４】
ＳＳ送信ユニット３６は、第１のセレクタ３５により選択されたデータをデジタル信号に変換するＡ／Ｄ変換部５１、データをＭＰＥＧ２の映像圧縮フォーマットに変換するＭＰＥＧ２エンコーダ５２、送信データをＳＳ無線方式により送信するＳＳ無線機及び無線制御部からなるＳＳ無線送信エンジン５３、及びＳＳ送信ユニット各部を制御するとともに、電波状態を検出する第１のＳＳ−ＣＰＵ５４を備えて構成される。
【００７５】
ＳＳ無線送信エンジン５３は、ＴＶ本体３のＳＳ受信ユニット６１（図３で後述する）に、ＭＰＥＧ２ストリームやコマンド等を送信する送信機能と、ＳＳ受信ユニット６１からコマンド等を受信する受信機能とを備える。
【００７６】
ＥＥＰＲＯＭ３８に書き込むプログラムを変えることによってワイヤレスセンタ２及びＴＶ本体３における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００７７】
本実施の形態では、ワイヤレスセンタマイコン３７が、ＴＶ本体３（受信機）から受信したコマンドをデコードする機能を有する。ワイヤレスセンタマイコン３７又はテレテキストデコーダ１００は、この構成に限らず、他の入出力用制御マイコンや電子回路に本機能を持たせても構わない。さらに、ワイヤレスセンタマイコン３７がテレテキストデコーダ１００の機能を兼ね備える構成でも良い。
【００７８】
図３は、上記ワイヤレスＡＶシステムのＴＶ本体３の構成を示すブロック図である。
図３において、ＴＶ本体３は、ＴＶコマンドを送受信してワイヤレスセンタ２のＳＳ送信ユニット３６から送信されたＭＰＥＧ２ストリームやコマンド伝送データを受信するとともに、受信したＭＰＥＧ２ストリームなどを元データにデコード（復元）するＳＳ受信ユニット６１（通信手段）と、ＳＳ受信ユニット６１により復元したデータとＴＶ出力／ビデオ４入力端子２１を介して外部から入力されるＡＶ信号とを選択する第２のセレクタ６２と、映像信号を表示し音声信号を出力するＬＣＤ等からなるＴＶ表示部６３（表示手段）と、ＴＶコマンド７１を送受信するとともに、ソース選択信号７２、ＯＳＤ（オン・スクリーン・ディスプレイ）発生機能部７３（TELETEXT Page入力ＧＵＩ生成手段）等を送信して表示装置全体の制御を行うＴＶマイコン６４（入力手段の一部，変換手段）と、ＴＶマイコン６４の制御プログラム、通信制御データ、さらに通信チャンネル変更プログラム等の種々のデータを記憶する電気的に書換可能な不揮発性メモリであるＥＥＰＲＯＭ６５と、リモートコントロール装置２００（入力手段）（図５）からの制御コマンドを受光するリモコン受光部６６と、バッテリ６７と、バッテリ６７の充放電を制御するバッテリチャージャマイコン６８とを備えて構成される。
【００７９】
ＳＳ受信ユニット６１は、ＳＳ無線方式により送信されたデータを受信するＳＳ無線機及び無線制御部からなるＳＳ無線受信エンジン８１、受信したＭＰＥＧ２ストリームをデコードするＭＰＥＧ２デコーダ８２、デコードされたデータをアナログ信号に変換するＤ／Ａ変換部８３、及びＳＳ受信ユニット各部を制御するとともに、電波状態を検出する第２のＳＳ−ＣＰＵ８４を備えて構成される。
【００８０】
ＳＳ無線受信エンジン８１は、ワイヤレスセンタ２のＳＳ送信ユニット３６からのＭＰＥＧ２ストリームやコマンド等を受信する受信機能と、ＳＳ受信ユニット６１からコマンド等を送信する送信機能とを備える。
【００８１】
第２のＳＳ−ＣＰＵ８４は、受信電波の電界強度、エラー率に基づく再送要求によりワイヤレスセンタ２とＴＶ本体３間の通信状態（電波の強弱、通信路の妨害）を検出する電波状態検出手段としての機能を備える。検出された電波状態を示す情報は、ＴＶコマンド７１としてＴＶマイコン６４に送られる。本実施の形態では、ＴＶ本体３の第２のＳＳ−ＣＰＵ８４が上記電波状態検出機能を備える構成を示したが、ワイヤレスセンタ２の第１のＳＳ−ＣＰＵ５４が同様の機能を備え、検出した電波状態を示す情報をワイヤレスセンタ２からＴＶ本体３にコマンド伝送する態様でもよい。あるいは、第１のＳＳ−ＣＰＵ５４及び第２のＳＳ−ＣＰＵ８４双方が電波状態検出機能を備える構成でもよい。さらに、上記電波状態検出機能をＴＶマイコン６４又はワイヤレスセンタマイコン３７が行う態様でもよい。
【００８２】
また、ＴＶマイコン６４は、ＯＳＤ発生機能部７３を有し、チャンネル、時刻、音量などの情報をテレビ等の画面上に表示する。ＴＶ等の映像装置、テレビ会議システム等の電子機器では、チャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。また、ＴＶ出力／ビデオ４入力端子２１に図示しないＤＶＤ等の画像再生装置を接続すれば、表示画面上に再生画像に重畳してＯＳＤ表示が可能である。
【００８３】
ＴＶマイコン６４は、TELETEXT Page入力及びその開始/終了を入力する入力処理、入力されたTELETEXT Page入力及び各項目を制御データとして確定し、さらに制御データをコマンドに変換する変換処理、制御コマンドをワイヤレスセンタ２に送出する通信処理を実行する。
【００８４】
特に、ＴＶマイコン６４は、TELETEXT Page入力の際、ＯＳＤ発生機能部７３によりTELETEXT PageＧＵＩを生成してＴＶ表示部６３する制御を実行することで、ワイヤレスセンタ２側からＧＵＩ映像を含むビデオ信号をＡＶストリームに変換して受信する態様に比べ、ＧＵＩ表示品位を向上させることができる。また、ＧＵＩ映像がストリームに含まれないため、ビデオ信号の高精細が失われたりレスポンス低下をなくすことができる。また、ＧＵＩ表示によってTELETEXT Page入力の操作等が行えるのでユーザの使い勝手がよい。上記ELETEXT PageＧＵＩ表示の一例については図１４〜図２０により後述する。
【００８５】
また、入力されるTELETEXT Pageを所定桁（ここでは、３桁）一括して制御コマンドに変換してワイヤレスセンタ２に送信するので、ページナンバー毎に逐次送信する態様に比べてレスポンスの向上を図ることができる。
【００８６】
より詳細に説明すると、ＴＶマイコン６４は、(a)受信機としてTELETEXT Page入力を操作するためのキー入力をリモートコントロール装置２００又はキー入力部（図示略）から受け付ける機能、(b)ＯＳＤ発生機能部７３によりTELETEXT Page入力ＧＵＩを生成する機能、(c)生成したＧＵＩ映像をＴＶ表示部６３に表示する機能、(d)TELETEXT Page入力の開始/終了，TELETEXT Page入力キーをデコードする機能、(e)受信機としてTELETEXT Page入力各項目に設定する制御データを確定する機能、(f)受信機として確定した制御データをコマンドに変換してＳＳ受信ユニット６１によりワイヤレスでワイヤレスセンタ２（送信機）に一括して送信する機能、及び上記各機能を実現するため制御処理手段を備える。なお、上記ELETEXT PageＧＵＩ表示のためのコマンドプロトコルの一例については図１０〜図１３により後述する。
【００８７】
本実施の形態では、ＴＶマイコン６４が、上記各機能を有する構成としているが、この構成に限らず、他の入出力用制御マイコンや電子回路に本機能を持たせても構わない。例えば、ＯＳＤ発生機能部７３はＴＶマイコン６４に内蔵される構成でも良い。
【００８８】
また、図示は省略するが、ＴＶ本体３は、スピーカ、キー入力部、カード型外部拡張記憶媒体を挿脱するためのスロット等を備え、カード型外部拡張記憶媒体を該スロットに装着してデータを直接読み取る構成としてもよい。上記キー入力部は、リモートコントロール装置２００と共にTELETEXT Page入力キーとしての機能を有する。上記カード型外部拡張記憶媒体は、例えば電源バックアップにより書き込まれた情報を保持するＳＲＡＭ（Static RAM）カードや電源バックアップが不要なフラッシュメモリ等からなるコンパクトフラッシュ（ＣＦ）、スマートメディア、メモリスティック、さらにはコンパクトフラッシュと同程度の大きさ又はＰＣカードTypeIIに装着可能な超小型ハードディスクドライブ（ＨＤＤ）等である。
【００８９】
リモコン受光部６６は、ＩＲ（Infrared Rays：赤外線）を使用する光通信ポート部であり、ＴＶ本体３又はワイヤレスセンタ２に対して各種操作を行うリモートコントロール装置２００（図５）からの光信号を受光する。具体的には、赤外線を利用してデータを伝送するための規格、ＩｒＤＡ（Infrared Data Association），ＡＳＫ等に準拠して光通信を行うためのＩ／Ｏポート、又は電波による無線通信ポートである。
【００９０】
バッテリ６７は、ＴＶ本体３各部に所定の電源を供給する。バッテリチャージャマイコン６８は、バッテリ６７が充電可能状態になったとき、例えばＴＶ本体３がワイヤレスセンタ２やその他のクレードル等に装着されたことを検知し、バッテリ６７の充電媒体に対し電力供給端子（いずれも図示略）を介して充放電の制御を行う。バッテリチャージャマイコン６８は、具体的にはバッテリパックの放電電流を積算し、バッテリパックの残存容量が所定値以下になったと判断したときに充電を開始するとともに、充電時にはバッテリパックへの充電電流を積算しバッテリパックが満充電状態になったと判断したときに充電を停止させる。充電されたバッテリ６７は、ＴＶ本体３が商用電源から切り離された場合に携帯ＴＶの主電源となり、本体各部に電力を供給する。
以下、上述のように構成されたテレテキストデコーダ１００を備えるワイヤレスＴＶ受信機の動作を説明する。
【００９１】
〔全体動作〕
ワイヤレスセンタ２と液晶モニタ付きＴＶ本体３とは、例えばＩＥＥＥ８０２.１１ｂ規格に基づく無線により関連付けされている。ワイヤレスセンタ２から液晶モニタ付きＴＶ本体３に向けて、無線によりＭＰＥＧ２ストリーム情報が送られるとともに、その他のコマンドデータなどが両者間で双方向通信により伝送される。
【００９２】
ワイヤレスセンタ２は、ＢＳアンテナ１１に接続されるＢＳチューナ３１と、ＵＨＦ／ＶＨＦアンテナ１２に接続されるＵ／Ｖチューナ３２と、を有しており、ＥＥＰＲＯＭ（第１記憶部）３８と関連付けされたワイヤレスセンタマイコン３７により選局コマンド４１に基づいて選局処理が行われる。選局処理が行われた後の信号は、映像・音声復調器３３に入力されて復調され、音声切換部３４においてワイヤレスセンタマイコン３７からの音声切換コマンド４２に基づいて音声切換処理が行われる。映像信号と音声切換処理が行われた後の音声信号とは、第１ＡＶセレクタ３５に入力される。ここで、ワイヤレスセンタマイコン３７からのソース選択コマンド４３に基づいてソース選択処理が行われ、ＳＳ送信ユニット３６に入力される。
【００９３】
ＳＳ送信ユニット３６は、Ａ／Ｄ変換器５１と、ＭＰＥＧ２エンコーダ５２と、第１のＳＳ無線送受信エンジン５３と、これらを制御する第１のＳＳ−ＣＰＵ５４とを有している。ソース選択処理が行われた映像・音声信号は、Ａ／Ｄ変換器５１によりＡ／Ｄ変換され、例えばＭＰＥＧ２エンコーダ５２によりＭＰＥＧ２形式にエンコードされ、ワイヤレスセンタマイコン３７からのＴＶコマンド送受信コマンド４４に基づいてＭＰＥＧ２形式にエンコードされたデータをバッテリ内蔵の液晶モニタ付きＴＶ本体３側に送るとともに、種々のコマンド（データ）をバッテリ内蔵の液晶モニタ付きＴＶ本体３との間で双方向に通信する。
【００９４】
液晶モニタ付きＴＶ本体３は、ＥＥＰＲＯＭ（第２記憶部）６５が関連付けされているＴＶマイコン６４と、ＳＳ受信ユニット６１と、第２ＡＶセレクタ６２と、ＴＶモニタ（液晶ディスプレイ）６３と、リモートコントロール装置（図５）の入力を受け付けるリモコン受光部６６とを有している。ＳＳ受信ユニット６１は、第２のＳＳ無線送受信エンジン８１と、ＭＰＥＧ２デコーダ８２と、Ｄ／Ａ変換器８３と、これらを制御する第２のＳＳ−ＣＰＵ８４とを有している。さらに、液晶モニタ付きＴＶ本体３は、バッテリ駆動に対応しており、それに応じてバッテリ６７とバッテリチャージャーマイコン６８とを有している。
【００９５】
ワイヤレスセンタ２側から送られＭＰＥＧ２形式にエンコードされているストリーミング情報は、ＴＶマイコン６４からのＴＶ送受信コマンド７１を受けたＳＳ−ＣＰＵ８４の指示により、ＳＳ受信ユニット６１内の第２のＳＳ無線送受信エンジン８１において受信され、ＭＰＥＧ２デコーダ８２においてデコードされ、Ｄ／Ａ変換器８３においてＤ／Ａ変換される。Ｄ／Ａ変換器されたストリーミング情報は、第２のＡＶセレクタ６２に送られ、外部入力（４）２１からの外部入力信号とのいずれを選択するかをＴＶマイコン６４からのソース選択コマンド７２に基づいて選択し、例えば、ＴＶマイコンからのＯＳＤ出力コマンドに基づいて任意のＯＳＤ処理が行われた後に、液晶モニタ６３に送られ、液晶モニタ６３に映像・音声ストリーミング情報に基づく表示が行われる。
【００９６】
図４は、本実施の形態によるワイヤレスＡＶシステムにおいて送信機側と受信機側との間でやりとりされるデータ構成例を示す図である。
【００９７】
図４に示すように、送受信データ１３１は、第１のＳＳ無線送受信エンジン５３と第２のＳＳ無線送受信エンジン８１との間で、アイソサイクル（ｉｓｏｃｙｃｌｅ）１３２によって規定された一定周期毎に送受信処理を行う。図４に示すように、送受信データパケットの構成は、ルート（Ｒ）であるワイヤレスセンタ２からリーフ（Ｌ）である液晶モニタ付きＴＶ本体３に送られるＲパケット１３３と、ギャップ１３４と、ギャップ１３４を挟んでリーフ（Ｌ）である液晶モニタ付きＴＶ本体３からルート（Ｒ）であるワイヤレスセンタ２に送られるＬパケット１３５とを有して構成されている。
【００９８】
Ｒパケット１３３は、ロングプリアンブル（１Ｍｂｐｓ）を使用する部分と、その他のデータ部分（１１ＭＨｚ）と、を含んでいる。ロングプリアンブル（１Ｍｂｐｓ）を使用する部分は、シンクロナスデータ１４１とＰＨＹヘッダデータ１４３を含んでおり、１９２μｓの期間である。一方、その他のデータ部分は、ＭＡＣヘッダ１４５と、コントロールデータ（ＣＢ）１４７と、非同期データにより構成されるステイタスコマンドデータ１５１と、同期データ（アイソクロナスデータ）１５３とを有している。ステイタスコマンドデータ１５１は、ワイヤレスステーションからＴＶ本体側へ送られるステータス・コマンドを含むデータである。同期データ１５３はＭＰＥＧ２の映像ストリームデータである。
【００９９】
上記Ｒパケット１３３に続き、１２９μｓのギャップ部（ＧＡＰ）１３４が設けられ、次いで、ＴＶ本体側からワイヤレスステーションに送られるＬパケット１３５が設けられている。Ｌパケット１３５は、Ｒパケット１３３と同様に、ロングプリアンブル（１Ｍｂｐｓ）を使用する部分１６１，１６３と、その他のデータ部分（１１ＭＨｚ）である、ＭＡＣヘッダ部１６５、リトライタグ１６７と、非同期データ部１７１と、を含んでいる。非同期データ部１７１は、ＴＶ本体側からワイヤレスステーション側へ送られるステータス・コマンドを含むデータである。以上説明したデータが、全体として３.６ｍｓサイクルで送られている。なお、この３.６ｍｓサイクルという時間は、上記遅延に関する数秒間という期間に比べれば非常に短い。
【０１００】
図５は、リモートコントロール装置の構成例である。図５に示すように、リモートコントロール装置２００は、チャネル番号を入力するチャネル番号入力部２０１と、選択決定ボタン２０３と、アップダウン選局ボタン２０５と、電源スイッチ２０７と、（外部）入力切換ボタン２０８と、を有している。チャネル番号入力部２０１は、ダイレクト選局ボタンを有しており、これによりチャネル番号により直接入力することができる。アップダウン選局ボタン２０５は、チャネル選局を±で選局する。選択決定ボタン２０３は、選択ボタン２０３ａと決定ボタン２０３ｂとを有している。リモートコントロール装置２００の各キーは、TELETEXT Page入力キーとしての機能を有する。
【０１０１】
図６は、ワイヤレスＡＶシステムにおける送信機側と受信機側との間の双方向通信のシーケンス例を示す図である。
【０１０２】
図６に示すシーケンス図を参照して、ワイヤレスセンタ２側のワイヤレスセンタマイコン３７とＳＳ送受信機ＣＰＵ５４と、ＴＶ本体３側のＳＳ送受信機ＣＰＵ８４とＴＶマイコン６４との間における切換処理を、チャネル切換処理を例にして時系列的に説明する。例えば、ＴＶマイコン６４がＴＶ本体３側のＳＳ送受信機６１とワイヤレスセンタ２側のＳＳ送受信機３６を介してワイヤレスセンタマイコン３７にチャネル切換処理要求を、要求コマンドを送信することにより行う（番号３０１−番号３０３参照）。これに対して、ワイヤレスセンタマイコン３７は、ワイヤレスセンタ側のＳＳ送受信機３６とＴＶ本体３側のＳＳ送受信機６１とを介してＴＶマイコン６４に、チャネル切換処理の要求コマンドを受け取った旨の応答を返す（番号３０５−番号３０７参照）。ＳＳ送受信機６１からＴＶマイコン６４に対して送信処理応答（番号３０４参照）も返信される。この間、ＴＶ本体３側のＴＶマイコンにおいては、タイムアウト監視３０８ａ，３０８ｂを行っている。
【０１０３】
ワイヤレスセンタマイコン３７側においては、受けたチャネル切換処理要求に関する要求処理を行う（番号３０９参照）。処理が実行されると、処理が実行済みである旨の処理完了情報が、ＴＶマイコン６４に対して処理応答という形で伝達される（番号３１０−番号３１２参照）。この処理完了情報を、ＴＶ本体３側において受け取ると、この時点を起点として予めＥＥＰＲＯＭ３８などに記憶されているある期間だけ、モニタ６３に表示される映像信号に対して画像処理を行いチャネル切換時の遅延に起因する表示の乱れを隠蔽するミュート処理が行われる。この期間は、例えば、ワイヤレスセンタ２側から送られＭＰＥＧ２形式にエンコードされた映像信号のＴＶ本体３側におけるデコード時間に基づいて定められる。例えば、デコード時間よりも長めの時間に設定すれば良い。この時間は、デコード時間に加えてＴＶ本体３側におけるその他の遅延時間を加味して設定されるが、あまり長めにするとミュート時間の短縮効果が低減するため、その他の遅延時間を適正な値、例えば予測される遅延時間にある程度のマージンを加味して決めれば良い。なお、実際には、映像がＴＶ本体３側の表示モニタ６３に表示されるまでには、処理応答伝達（番号３１２参照）を受け取っているため、映像信号がデコード処理されるまでの遅延が存在するため、その分だけ映像ミュートの起点を遅らせても良い。
【０１０４】
図７は、ワイヤレスＡＶシステムにおけるＢＳ入力レベル表示時の送信機側と受信機側との間の双方向通信のシーケンス例を示す図である。
【０１０５】
図７に示すシーケンス図を参照して、ワイヤレスセンタ２側のワイヤレスセンタマイコン３７とＳＳ送受信機ＣＰＵ５４と、ＴＶ本体３側のＳＳ送受信機ＣＰＵ８４とＴＶマイコン６４との間における通信処理を、ＢＳ入力レベル取得処理を例にして時系列的に説明する。例えば、ＴＶマイコン６４がＴＶ本体３側のＳＳ送受信機６１とワイヤレスセンタ２側のＳＳ送受信機３６を介してワイヤレスセンタマイコン３７にＢＳ入力レベル通知開始要求を、要求コマンドを送信することにより行う（番号４０１−番号４０３参照）。これに対して、ワイヤレスセンタマイコン３７は、ワイヤレスセンタ側のＳＳ送受信機３６とＴＶ本体側のＳＳ送受信機６１とを介してＴＶマイコン６４に、ＢＳ入力レベル取得の要求コマンドを受け取った旨の応答を返す（番号４０５−番号４０７参照）。ＳＳ送受信機６１からＴＶマイコン６４に対して送信処理応答（番号４０４参照）も返信される。この間、ＴＶ本体３側のＴＶマイコンにおいては、タイムアウト監視４０８ａを行っている。
【０１０６】
ワイヤレスセンタマイコン３７側においては、受けたＢＳ入力レベル通知開始要求に関するＢＳ入力レベル取得を行う（番号４０９参照）。ＢＳ入力レベル取得を行うと、処理が実行済みである旨の処理完了情報が、ＴＶマイコン６４に対して処理応答という形で伝達される（番号４１０−番号４１２参照）。そして、ＴＶマイコン６４は入力レベル通知終了要求を出すまでこの状態で待機する（番号４１２ａ参照）。
【０１０７】
ＴＶマイコン６４がＴＶ本体３側のＳＳ送受信機６１とワイヤレスセンタ２側のＳＳ送受信機３６を介してワイヤレスセンタマイコン３７に入力レベル通知開始要求を、要求コマンドを送信することにより行う（番号４１３−番号４１５参照）。これに対して、ワイヤレスセンタマイコン３７は、ＢＳ入力レベル取得を終了するか否かを判別し（番号４１６参照）、ＢＳ入力レベル取得を終了しないときは再び、受けたＢＳ入力レベル通知開始要求に関するＢＳ入力レベル取得を行う（番号４０９参照）。
【０１０８】
ＢＳ入力レベル取得を終了するときは、ワイヤレスセンタマイコン３７は、ワイヤレスセンタ側のＳＳ送受信機３６とＴＶ本体側のＳＳ送受信機６１とを介してＴＶマイコン６４に、ＢＳ入力レベル取得の終了通知を返す（番号４１７−番号４１９参照）。この間、ＴＶ本体３側のＴＶマイコンにおいては、タイムアウト監視４０８ｂを行っている。
【０１０９】
上述した通信シーケンスによって、TELETEXTデコーダ１００を装備する送信機側であるワイヤレスセンタ２とTELETEXT PageＧＵＩ表示をＴＶ表示部６３に表示する受信側であるＴＶ本体３との双方向通信が行われる。図６及び図７に示すように、ワイヤレスＡＶ伝送システム内のワイヤレスセンタ２とＴＶ本体３間のTELETEXT Page伝送はコマンドにより伝送される。
次に、TELETEXT Page伝送のコマンドを含むコマンドプロトコルについて説明する。
【０１１０】
図８及び図９は、TELETEXT Page伝送のコマンドプロトコルの機能一覧を示す図であり、図８は、そのメニュー関連の設定を、図９は、その通常使用時の機能の通信の要／不要を示す。
【０１１１】
図８において、メニュー関連は、メインメニューで本体設定とチャンネル設定とに分け、本体設定とチャンネル設定はさらにサブメニュー、項目、通信の必要性に分けられる。本体設定のサブメニューは、ＢＳ設定、入力表示設定、映像反転、高音強調、ビデオ２入力／デコーダ入力、ビデオ３入力／モニタ出力、リモコンボタン設定の各項目があり、夫々通信の必要性があるものは○印、ないものは×印で表されている。通信の必要性がある項目、例えばＢＳ設定については、上述した図６及び図７に示す通信シーケンスに従ってワイヤレスセンタ２とＴＶ本体３間で通信を行って設定する。コマンドの詳細な内容については図１１乃至図１３により後述する。
【０１１２】
また、チャンネル設定は、オートプリセット、マニュアルメモリ、地域番号設定に分かれ、マニュアルメモリはさらに、リモコン番号、受信チャンネル、チャンネル表示、受信微調整、外部設定、スキップに分かれる。通信の必要性があるものは○印、ないものは×印で表されている。
【０１１３】
このようにメニュー関連は、ＴＶ本体３の機能でない場合は基本的にワイヤレスセンタ２とコマンドをやり取りして設定する。
【０１１４】
図９に示す通常使用時の選局、入力切換、音声切換機能はＴＶ本体３がワイヤレスセンタ２とコマンドをやり取りして設定する。
【０１１５】
次に、コマンドのデータフォーマットについて図１１乃至図１３を参照して説明するが、まずTELETEXT Page伝送のコマンドプロトコルについて図１０を参照して説明する。
【０１１６】
図１０は、スルーコマンドの定義をbit割で示す図であり、図１０（ａ）は国内仕様のbit割、図１０（ｂ）は欧州仕様のbit割である。いずれもスルーデータの先頭２byteをコマンド定義として用いる。
【０１１７】
図１０（ａ）の国内仕様のbit割において、スルーデータ（データ本体）の先頭２byteがコマンド定義であり、２byteの先頭１bitがＡｃｋ、次の３bitが要求：０，応答：１，通知：２、続く３bitがメニュー設定：０，通常コマンド：１，工程コマンド：７、続く３bitが予備、最後の６bitがコマンド種別（０〜６３）である。欧州仕様では、工程関係の要求コマンドだけで約８０種類あってコマンド種別が不足するため、後半の１byteを全てコマンド種別に割り当てる。図１０（ｂ）の欧州仕様のbit割は、１byte目の先頭１bitがＡｃｋ、次の３bitが要求：０，応答：１，通知：２、続く３bitがメニュー設定：０，通常コマンド：１，その他：２，工程コマンド：７、続く１bitが予備、２byte目がコマンド種別（０〜２５５）である。
【０１１８】
図１１乃至図１３は、データフォーマットの内容を示す図であり、図１１は、ＴＶ本体３→ワイヤレスセンタ２への要求データのフォーマットを、図１２は、ワイヤレスセンタ２→ＴＶ本体３への応答データのフォーマットを、図１３は、ワイヤレスセンタ２→ＴＶ本体３への通知データのフォーマットをそれぞれ示す。
【０１１９】
テレテキスト放送システムは、現在のところ欧州で使用されているため、本実施の形態では図１１乃至図１３に示すデータフォーマットのコマンドの定義を図１０（ａ）の欧州仕様に準拠している。これは一例であり図１０（ａ）の国内仕様のbit割、又はその他のbit割のフォーマットでもよい。
【０１２０】
図１１の要求データフォーマットでは、２byteがコマンド，１５byteがそのパラメータ（内容）であり、メニュー設定、チャンネル設定、通常使用時の各詳細機能が、コマンドとして定義されている。上記メニュー設定、チャンネル設定、通常使用時は、前記図８及び図９の機能に対応するものであり、通信の必要性がある（○印）ものは全て定義されている。また、図１１のコマンドは、図１０（ｂ）の欧州仕様のbit割と同じではないが近似しており、２byteの先頭１bitがＡｃｋ、次の３bitが要求：０，応答：１，通知：２、続く３bitがメニュー設定：０，通常コマンド：１，その他：２，工程コマンド：７、続く２bitが予備、残り６bitがコマンド種別（０〜６３）である。
【０１２１】
また、図１２の応答データフォーマットでは、２byteがコマンド，１５byteがそのパラメータ（内容）であり、メニュー設定、チャンネル設定、通常使用時の各詳細機能が、コマンドとして定義されている。上記メニュー設定、チャンネル設定、通常使用時は、前記図８及び図９の機能に対応するものであり、通信の必要性がある（○印）ものは全て定義されている。また、図１２のコマンドは、図１１の要求データフォーマットと同様である。
【０１２２】
また、図１３の通知データフォーマットでは、２byteがコマンド，１５byteがそのパラメータ（内容）であり、メニュー設定で本体設定−ＢＳ設定がコマンドとして定義されている。
【０１２３】
上記図１１乃至図１３のデータフォーマットのコマンド先頭bitのＡＣＫについては、受信したパラメータのＡＣＫbitをＯＮ（１）にして送信する。なお、タイムアウト、エラー発生時のリトライについては、その時々に応じて必要であれば実行される。
【０１２４】
図１４乃至図２０は、受信機（ＴＶ本体３）側で入力したTELETEXT PageのＧＵＩ表示例を示す図であり、テレテキスト表示領域及び表示レイアウト例を示している。これらの図において、図の右側は英語版のTELETEXT PageのＧＵＩ表示を示し、その左側は対応する日本語版のTELETEXT PageのＧＵＩ表示を示す。
【０１２５】
前述したように、本実施の形態ではTELETEXT PageＧＵＩ表示を送信機（ワイヤレスセンタ２）から受信機（ＴＶ本体３）に伝送しないようにするため、送信側のワイヤレスセンタ２からコマンド（図１１乃至図１３参照）を受け取るとデコードしてＯＳＤ発生機能部７３によりTELETEXT PageＧＵＩを生成する。受信機側で生成されるTELETEXT PageＧＵＩは、送信側のワイヤレスセンタ２でテレテキスト情報を処理するテレテキストデコーダ１００TELETEXT PageＧＵＩ表示と同等のものがＯＳＤ表示される。
【０１２６】
図１４（ａ）（ｂ）（ｄ）（ｅ）は、画面表示系のコール大のTELETEXT Page表示例、図１４（ｃ）（ｆ）コール小のTELETEXT Page表示例である。図中、縦方向の番号はブロック行番号、横方向の番号はブロック列番号である。図１４に示すように、１又は複数のブロックに文字５０１（ページナンバー「Ｐ１００」）や図形５０２（バッテリ残量アイコン５０２）が表示される。
【０１２７】
また、受信機でTELETEXT Page入力を操作するためのキー入力があったとき、TELETEXT Page入力各項目に設定する制御データを確定するとき、そして、送信機から送られたコマンドをデコードしたときは、TELETEXT Page入力ＧＵＩが生成される。例えば、図１４（ｄ）は、受信機（ＴＶ本体３）側で入力したTELETEXT PageのＧＵＩ表示の一例を示しており、文字「ＢＳ１１」（図１４（ａ）の「ＢＳ１１」と同様の文字）が変更され、ブロック１６個を使って文字「Ｐ１００」５０３が表示されている。このように、受信機側でTELETEXT Page入力を操作し、TELETEXT Page入力をデコードすることによって受信機側でTELETEXT Page入力表示を行うことができる。
【０１２８】
また、本実施の形態では、受信機でTELETEXT Page入力の開始/終了、TELETEXT Page入力キーをデコーするとともに、TELETEXT Page入力各項目に設定する制御データを確定し、確定した制御データをコマンドに変換して送信機に送り、送信機は受信機から受信したコマンドをデコードすることも特徴としている。例えば、ページナンバー「Ｐ１００」を表示する画面（図１４（ａ）参照）を選択しようとするとき、従来ではTELETEXT PageのＧＵＩ表示（ここでは図１４（ａ）の画面表示）自体を送信機側でデコードして表示していたために、ＭＰＥＧ２にエンコードして受信機側で表示させるとユーザ操作の速い操作に対してレスポンスが追いつかない。そこで、本実施の形態では、上記特徴で述べたように、ページ設定を受信機側で一括して所望のページＮｏ．を入力（ここでは３桁のページＮｏ．を入力）してコマンドとして送信機側に送ることで操作性を改善している。
【０１２９】
図１５は、ビデオチャンネル（ＣＨ）のTELETEXT Page表示例であり、図１５（ａ）（ｄ）はビデオ１のＣＨコール大及び小を、図１５（ｂ）（ｅ）はビデオ２のＣＨコール大及び小を、図１５（ｃ）（ｆ）はビデオ３のＣＨコール大及び小を示している。ＣＨコール大ではブロック１２個を使って文字が表示され、ＣＨコール小ではブロック３個を使って文字が表示される。なお、文字色は緑である。
【０１３０】
図１６及び図１７は、ビデオＣＨにおいて、入力表示切替えが行われている場合のTELETEXT Page表示のＣＨコール大及び小を示している。
【０１３１】
同様に、図１８は、テレビモードにおいて、各モードのTELETEXT Page表示のＣＨコール大及び小を示している。この例では、文字色はモノラル放送：緑、ステレオ放送受信時：黄、２ヶ国語放送：赤である。
【０１３２】
また、図１９は、ダイレクトキーでのＯＳＤ表示例を示している。この例では、時計表示（文字色：黄）、映像反転（文字色：黄）、調光（文字色：黄）、オフタイマー（文字色：黄）、オンタイマー（文字色：赤）、映像ポジション（文字色：黄）、バッテリ残量アイコン（４種類）である。
【０１３３】
また、図２０は、ＢＳ設定関連のＯＳＤ表示例を示している。この例では、ＢＳ固定表示（文字色：緑）、ＢＳモード表示（Ａ，Ｂモード）、ボリューム表示（ボリュームUP/DOWNキー入力時表示  表示範囲０〜６０）、ボリューム表示（消音時）である。
【０１３４】
以上説明したように、本実施の形態に係るワイヤレスＡＶシステム１は、ワイヤレスセンタ２と、ＴＶ本体３とから構成され、ワイヤレスセンタ２とＴＶ本体３とはペアとなって無線伝送ネットワークを構成し、送信機側のワイヤレスセンタ２は、テレテキスト放送を受信するチューナ３１，３２と、テレテキストデータを抽出するテレテキストデコーダ１００と、ＴＶ本体３と制御コマンドを送受信するとともに、受信した映像信号の映像及び音声データ、選択されたテレテキストページをワイヤレスにより伝送するＳＳ送信ユニット３６と、ワイヤレスセンタ２全体の制御と抽出したテレテキストデータから受信した制御コマンドにより指定されるテレテキストページを選択するワイヤレスセンタマイコン３７とを備え、受信機側のＴＶ本体３は、TELETEXT Page入力ＧＵＩを生成するＯＳＤ発生機能部７３とを備えて構成したので、送信機側にテレテキストデコーダ１００を装備し、ワイヤレスで映像・音声データを伝送するワイヤレスＡＶ伝送システムを構築することができる。
【０１３５】
また、ワイヤレスセンタマイコン３７は、テレテキストデコーダ１００を制御してテレテキストデータを取り出す処理、ＴＶ本体３からの制御コマンドを送受信する通信処理、取り出したテレテキストデータから受信した制御コマンドをデコードするデコード処理、デコードしたコマンドにより指定されるテレテキストページを選択する選択処理、受信した映像信号の映像及び音声データ、選択されたテレテキストページをワイヤレスにより伝送する伝送処理を実行するので、取り出されたテレテキストデータのうちＴＶ本体３側からTELETEXT Page入力をコマンドで受けてデコードした所望のTELETEXT Pageがエンコードされて伝送されること、及び受信機側で入力ＧＵＩを生成するため送信機側ではＧＵＩ映像をエンコードされないことにより、ビデオ信号の表示品位及びＧＵＩ表示品位を大幅に高めることができる。
【０１３６】
また、ＴＶマイコン６４は、TELETEXT Page入力及びその開始/終了を入力する入力処理、ＯＳＤ発生機能部７３によりTELETEXT PageＧＵＩを生成して表示する処理、入力されたTELETEXT Page入力及び各項目を制御データとして確定し、さらに制御データをコマンドに変換する変換処理、制御コマンドをワイヤレスセンタ２に送出する通信処理を実行するので、ＧＵＩ表示によってTELETEXT Page入力の操作等が行えるのでユーザの使い勝手がよいことは勿論のこと、受信機側でTELETEXT Page入力表示を行うことでＧＵＩ表示品位を改善することができる。また、ＧＵＩ映像がストリームに含まれないため、ビデオ信号の高精細が失われたりレスポンス低下をなくすことができる。
【０１３７】
また、受信機側でTELETEXT Page入力を操作するＧＵＩ開始/終了、TELETEXT Page入力を３桁一括して制御コマンドに変換して送信するので、より一層操作に対する表示のレスポンスを改善することができる。
【０１３８】
以上のように、本ワイヤレスＡＶシステムは、将来、伝送するビデオ信号やテレテキストデータのデータ量が増大した場合であってもレスポンス及び高品位表示に対応することができる。
【０１３９】
なお、本発明の機器及びテレビジョン受信機は、上述の実施の形態に限定されるものではなく、本発明の要旨を逸脱しない範囲内において種々変更を加え得ることは勿論である。例えば、ワイヤレス通信機器をワイヤレスＡＶ機器として携帯ＴＶに適用しているが、携帯ＴＶ受信機単体あるいはＴＶ受信機に限らず再生録画機能を持った又はその融合された装置に適用可能である。例えば、ＡＶ機器として、ＶＴＲ（Video Tape Recorder）のほか、ＨＤＤやＤＶＤに記録する記録再生装置でもよい。また、データ送受信のできる装置として、パソコンに代表される情報機器機能に融合された装置であってもよく、全てのシステムに適用可能である。また、映像信号の垂直帰線消去期間に含まれるテレテキスト放送データであれば、データの内容はどのようなものであってもよい。
【０１４０】
また、本実施の形態では、ＴＶ受信機で説明したが、これに限定されるものではなく、前述のように、チューナとパソコンや、チューナを使用する他のＡＶ機器にも応用できる。
【０１４１】
また、上記機器及びテレビジョン受信機を構成する各処理部等の種類、設定情報の種類・形式などは前述した実施形態に限られない。特に、ＨＡＶｉに準拠する機器に適用して好適である。
【０１４２】
また、チューナとして、ＢＳチューナとＵ／Ｖチューナの２つの放送を例に挙げているが、ＣＳチューナなど放送の種類や数はこれに限定されるものではない。
【０１４３】
また、本実施の形態ではワイヤレスＡＶシステムという名称を用いたが、これは説明の便宜上であり、テレビジョン受信機、ＡＶ機器、テレテキストシステム等であってもよい。
【０１４４】
以上説明したワイヤレスＡＶシステムは、このワイヤレスＡＶシステムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【０１４５】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０１４６】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【図面の簡単な説明】
【０１４７】
【図１】本発明の実施の形態のワイヤレスＡＶシステムの構成を示す図である。
【図２】本実施の形態のワイヤレスＡＶシステムのワイヤレスセンタの構成を示すブロック図である。
【図３】本実施の形態のワイヤレスＡＶシステムのＴＶ本体の構成を示すブロック図である。
【図４】本実施の形態のワイヤレスＡＶシステムにおいて送信機側と受信機側との間でやりとりされるデータ構成例を示す図である。
【図５】本実施の形態のワイヤレスＡＶシステムのリモートコントロール装置の構成例である。
【図６】本発明の実施の形態のワイヤレスＡＶシステムの送信機側と受信機側との間の双方向通信のシーケンス例を示す図である。
【図７】本発明の実施の形態のワイヤレスＡＶシステムにおけるＢＳ入力レベル表示時の送信機側と受信機側との間の双方向通信のシーケンス例を示す図である。
【図８】本発明の実施の形態のワイヤレスＡＶシステムのTELETEXT Page伝送のコマンドプロトコルの機能一覧を示す図である。
【図９】本発明の実施の形態のワイヤレスＡＶシステムのTELETEXT Page伝送のコマンドプロトコルの機能一覧を示す図である。
【図１０】本発明の実施の形態のワイヤレスＡＶシステムのスルーコマンドの定義をbit割で示す図である。
【図１１】本発明の実施の形態のワイヤレスＡＶシステムのデータフォーマットの内容を示す図である。
【図１２】本発明の実施の形態のワイヤレスＡＶシステムのデータフォーマットの内容を示す図である。
【図１３】本発明の実施の形態のワイヤレスＡＶシステムのデータフォーマットの内容を示す図である。
【図１４】本発明の実施の形態のワイヤレスＡＶシステムの受信機側で入力したTELETEXT PageのＧＵＩ表示例を示す図である。
【図１５】本発明の実施の形態のワイヤレスＡＶシステムの受信機側で入力したTELETEXT PageのＧＵＩ表示例を示す図である。
【図１６】本発明の実施の形態のワイヤレスＡＶシステムの受信機側で入力したTELETEXT PageのＧＵＩ表示例を示す図である。
【図１７】本発明の実施の形態のワイヤレスＡＶシステムの受信機側で入力したTELETEXT PageのＧＵＩ表示例を示す図である。
【図１８】本発明の実施の形態のワイヤレスＡＶシステムの受信機側で入力したTELETEXT PageのＧＵＩ表示例を示す図である。
【図１９】本発明の実施の形態のワイヤレスＡＶシステムの受信機側で入力したTELETEXT PageのＧＵＩ表示例を示す図である。
【図２０】本発明の実施の形態のワイヤレスＡＶシステムの受信機側で入力したTELETEXT PageのＧＵＩ表示例を示す図である。
【図２１】従来の標準欧文文字を表す符合表を示す図である。
【図２２】従来の文字放送における８単位符号の符号表を示す図である。
【図２３】図２２に示す符号表を用いて呼び出される符号集合を示す図である。
【図２４】従来のテレテキスト放送システムの構成図である。
【符号の説明】
【０１４８】
１  ワイヤレスＡＶシステム
２  ワイヤレスセンタユニット（ワイヤレスセンタ）（無線通信装置，機器，送信側機器，センタ装置）
３  テレビジョン本体ユニット（ＴＶ本体）（無線通信装置，機器，受信側機器，表示装置）
１１  ＢＳ端子
１２  Ｕ／ＶＨＦアンテナ端子
１３  ダイバーシティ端子
１４  Ｓ端子付きビデオ１入力端子
１５  デコーダ入力／ビデオ２入力端子
１６  モニタ／ＢＳ出力／ビデオ３入力端子
１７  ＡＣ電源部
１８  Ｃａｒ−ＤＣ電源部
２１  ＴＶ出力／ビデオ４入力端子
２２  ＡＣ電源部
２３  Ｃａｒ−ＤＣ電源部
３１  ＢＳチューナ
３２  Ｕ／ＶＨＦチューナ
３３  映像・音声復調部
３４  音声切換部
３５  第１のセレクタ
３６  ＳＳ送信ユニット（通信手段，伝送手段）
３７  ワイヤレスセンタマイクロコンピュータ（デコード手段，選択手段，制御手段）
３８，６５  ＥＥＰＲＯＭ
５１  Ａ／Ｄ変換部
５２  ＭＰＥＧ２エンコーダ
５３  ＳＳ無線送信エンジン
５４  ＳＳ−ＣＰＵ
６１  ＳＳ受信ユニット（通信手段）
６２  第２のセレクタ
６３  ＴＶ表示部（表示手段）
６４  ＴＶマイコン（入力手段の一部，変換手段）
６６  リモコン受光部
６７  バッテリ
６８  バッテリチャージャマイコン
７３  ＯＳＤ発生機能部（TELETEXT Page入力ＧＵＩ生成手段）
８１  ＳＳ無線受信エンジン
８２  ＭＰＥＧ２デコーダ
８３  Ｄ／Ａ変換部
８４  第２のＳＳ−ＣＰＵ
１００  テレテキストデコーダ（TELETEXT Decoder）
１０１  テレテキスト制御信号
２００  リモートコントロール装置（入力手段）
５０１  TELETEXT Page入力ＧＵＩ文字（ページナンバー「Ｐ１００」）
５０２  TELETEXT Page表示ＧＵＩ図形（バッテリ残量アイコン）
【図１】
2005229482.tif 000003
【図２】
2005229482.tif 000004
【図３】
2005229482.tif 000005
【図４】
2005229482.tif 000006
【図５】
2005229482.tif 000007
【図６】
2005229482.tif 000008
【図７】
2005229482.tif 000009
【図８】
2005229482.tif 000010
【図９】
2005229482.tif 000011
【図１０】
2005229482.tif 000012
【図１１】
2005229482.tif 000013
【図１２】
2005229482.tif 000014
【図１３】
2005229482.tif 000015
【図１４】
2005229482.tif 000016
【図１５】
2005229482.tif 000017
【図１６】
2005229482.tif 000018
【図１７】
2005229482.tif 000019
【図１８】
2005229482.tif 000020
【図１９】
2005229482.tif 000021
【図２０】
2005229482.tif 000022
【図２１】
2005229482.tif 000023
【図２２】
2005229482.tif 000024
【図２３】
2005229482.tif 000025
【図２４】
2005229482.tif 000026